(57)【要約】【課題】  コストを抑制しつつ、且つ品質を保持しつつ３種類の表示を行うことができる可変表示構造を提供すること。【解決手段】  各印刷部分より表示側に設けられ、表示側から投光する第３光源３１の光を反射し、第３表示１４を行う白印刷部分１０ｆと、第３光源３１の光や外光を反射しにくく、表示側から暗く見え、白印刷部分１０ｆの背景を構成するスモーク印刷部分１０ｈと、白印刷部分１０ｆ以外を繰り抜いた反転形状を同一インクで印刷し、白印刷部分１０ｆとそれ以外の部分の表示光透過率を同じにする反転印刷部分１０ｇと、を備えた。【選択図】      図２
2008015122.tif 000002
【特許請求の範囲】
【請求項１】
透光性のあるシートに波長の異なる第１光源の光と第２光源、及び第３光源の光を切り換えて投光させ、
第１表示と第２表示、及び第３表示を行わせる可変表示構造であって、
前記第１光源の波長のみを透過させる第１印刷部分と、
前記第２光源の波長のみを透過させる第２印刷部分と、
前記第１光源の波長と第２光源の波長を透過させない第３印刷部分と、
前記第１表示と前記第２表示の重複する部分と重なる部分で、第１光源及び第２光源の光を抑制して透過する調光印刷部と、
各印刷部分より表示側に設けられ、表示側から投光する第３光源の光を反射し、第３表示を行う反射印刷部分と、
前記第３光源の光や外光を反射しにくく、表示側から暗く見え、前記反射印刷部分の背景を構成するスモーク印刷部分と、
前記反射印刷部分以外を繰り抜いた反転形状を同一インクで印刷し、前記反射印刷部分とそれ以外の部分の表示光透過率を同じにする反転印刷部分と、
を備えることを特徴とする可変表示構造。
【請求項２】
請求項１に記載の可変表示構造において、
前記シートに前記反転印刷部分をまず設け、前記反転印刷部分の表示方向に各印刷部分を重ねるように設ける、
ことを特徴とする可変表示構造。
【請求項３】
請求項１に記載の可変表示構造において、
前記シートの光源側の面に前記反転印刷部分を設け、前記シートの表示側の面に各印刷部分を重ねるように設ける、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来の技術においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照）。
【特許文献１】特開２００１−１００６７９号公報（第２−８頁、全図）
【発明の開示】
【発明が解決しようとする課題】
【０００３】
しかしながら、従来では、２つの意匠のうちどちらかの選択であり、光源の非点灯時には、表示がないものであった。
【０００４】
これに対し、点灯がない場合における表示、及び第３の表示を行いたいという要求がある。
但し、コストを抑制し、生産性を考慮した品質の保持がなければ、実現は困難である。
【０００５】
本発明は、上記問題に着目してなされたもので、その目的とするところは、コストを抑制しつつ、且つ品質を保持しつつ３種類の表示を行うことができる可変表示構造を提供することにある。
【課題を解決するための手段】
【０００６】
上述の目的を達成するため、本発明の可変表示構造では、透光性のあるシートに波長の異なる第１光源の光と第２光源、及び第３光源の光を切り換えて投光させ、第１表示と第２表示、及び第３表示を行わせる可変表示構造であって、前記第１光源の波長のみを透過させる第１印刷部分と、前記第２光源の波長のみを透過させる第２印刷部分と、前記第１光源の波長と第２光源の波長を透過させない第３印刷部分と、前記第１表示と前記第２表示の重複する部分と重なる部分で、第１光源及び第２光源の光を抑制して透過する調光印刷部と、各印刷部分より表示側に設けられ、表示側から投光する第３光源の光を反射し、第３表示を行う反射印刷部分と、前記第３光源の光や外光を反射しにくく、表示側から暗く見え、前記反射印刷部分の背景を構成するスモーク印刷部分と、前記反射印刷部分以外を繰り抜いた反転形状を同一インクで印刷し、前記反射印刷部分とそれ以外の部分の表示光透過率を同じにする反転印刷部分と、を備えることを特徴とする。
【発明の効果】
【０００７】
本発明では、コストを抑制しつつ、且つ品質を保持しつつ３種類の表示を行うことができる。
【発明を実施するための最良の形態】
【０００８】
以下に、本発明の距離画像生成装置を実現する実施の形態を、請求項１に対応した実施例１，２、請求項２に対応した実施例３、請求項３に対応した実施例４、応用例である実施例５、実施例６に基づいて説明する。
【実施例１】
【０００９】
まず構造を説明する。
図１は実施例１の可変表示構造のスイッチを示す断面図である。図２は実施例１のカラーフィルタの正面図である。図３は図２のＡ−Ａ断面図である。図４は白印刷部分、反転印刷部分、スモーク印刷部分を除いたカラーフィルタの正面図である。図５は第１印刷部分、第２印刷部分の特性と第１光源、第２光源の波長との関係を示す説明図である。図６は、第１表示、第２表示、第３表示を表示させた状態を示す説明図である。
スイッチ１は、まず、矩形枠状のスイッチフィニッシャ２の内部に矩形枠状のガイドハウジング７を設ける（図１参照）。
ガイドハウジング７には、矩形枠状のスイッチフィニッシャ２の開口面から開口面へ向かう方向、つまり、前後面に摺動可能なレール部分を設ける。
スイッチフィニッシャ２及びガイドハウジング７の背面側には、開口を塞ぐ板状の基板６を設ける。
【００１０】
基板６の前面側、つまりスイッチフィニッシャ２の内部側には、波長が約５００nmをピークとする第１光源３と、波長が約６００nmをピークとする第２光源４、押されることによりON/OFFの操作入力を行うタクトスイッチ５を設ける。
第１光源３及び第２光源４としては、異なる色を発色するLEDがコスト抑制、メンテナンス性から好ましいが、別のものであってもよい。次に、内外で２重の枠部分を有するスライダ８を設ける。スライダ８の内部の枠部分は、第１光源３及び第２光源４側に行くに従って角錐状に内側が狭くなる形状にする。また、スライダ８の内側の枠形状部分は後方に延長し、第１光源３及び第２光源４の側方を覆うようにする。
【００１１】
さらに、スライダ８の内側の枠形状部分の下方傾斜面には、下方に突出する形状の係合部８ａを設ける。係合部８ａの位置は、下方に移動するとタクトスイッチ５と係合する位置にする。
スライダ８の内側枠部分の前面部分には、カラーフィルタ１０を設ける。
カラーフィルタ１０の前面部分には、消灯時に外光によって印刷パターンが見えてしまうのを防ぐために全体的に透光性が低くされたスモークレンズ１１を設ける。
【００１２】
ここで、スモークレンズ１１、カラーフィルタ１０を取り付けたスライダ８を、ガイドハウジング７のレール部分に係合させて前後に摺動自在にする。
これにより、スライダ８をタクトスイッチ５に向かって押すと、スライダ８が摺動して傾斜面から下方に突出する形状の係合部８ａがタクトスイッチ５を押す構造にする。
また、押された後に、自由状態にすると、タクトスイッチの反力で戻る構造にする。
【００１３】
次に、スイッチフィニッシャ２の内部で、ガイドハウジング７の外側の２箇所の基板６に第３光源３１を設ける。
さらに、ガイドハウジング７の外側で、スイッチフィニッシャ２の内部には、略環状で、第３光源３１からカラーフィルタ１０の上部の側面へ光を誘導するガイドライト３２を設ける。
【００１４】
カラーフィルタ１０は、透明なシート１０ａの前面に、第１印刷部分１０ｂ、第２印刷部分１０ｃ、調光印刷部分１０ｄ、背景印刷部分１０ｅ、白印刷部分１０ｆ、反転印刷部分１０ｇ、スモーク印刷部分１０ｈを設ける。
ここで、第１表示１２を図６(a)に示す文字の「Ａ」、第２表示１３を図６(b)に示す文字の「Ｅ」、第３表示１４を図６(c)に示す文字の「Ｉ」とする。
第１印刷部分１０ｂは、第１表示１２である「Ａ」の第２表示１３「Ｅ」と重ならない図４の部分であり、赤色光を通過させる赤い色の印刷である。この第１印刷部分１０ｂの波長に対する透過効率の特性は、図５の線２１で示す特性となる。
【００１５】
第２印刷部分１０ｃは、第２表示１３である「Ｅ」の第１表示１２「Ａ」と重ならない図４の部分であり、青色光を通過させる青い色の印刷である。この第２印刷部分１０ｃの波長に対する透過効率の特性は、図６の線２３で示す特性となる。
調光印刷部１０ｄは、第１表示１２である「Ａ」と第２表示１３である「Ｅ」の重なる図４の部分であり、赤色光及び青色光を通過させる印刷である。調光印刷部分１０ｄの波長に対する透過効率の特性は、図６の線２５で示す特性となる。
【００１６】
次に、この第１印刷部分１０ｂや第２印刷部分１０ｃ等を設けた上に、白印刷部分１０ｆ、反転印刷部分１０ｇ、スモーク印刷部分１０ｈを印刷する。
まず、第３表示である「Ｉ」の部分の背景となるよう、第３表示の「Ｉ」の形状をくり抜いた形状を反転印刷部分１０ｇとして、第１印刷部分１０ｂや第２印刷部分１０ｃ等を設けた上に設ける。
【００１７】
次に、この反転印刷部分１０ｇに重ねるようにして、各印刷部分を１面に覆うスモーク印刷部分１０ｈを設ける。
スモーク印刷部分１０ｈは、光の透過を適度に透過して、内部を見えないようにしつつ、光源の光による表示光を透過するようスモークの濃さを調整したものである。
さらに、このスモーク印刷部分１０ｈの上面に重ねるようにして、第３表示である「Ｉ」の部分となる白印刷部分１０ｆを設ける。
【００１８】
なお、実施例１の可変表示構造においては、白印刷部分１０ｆと反転印刷部分１０ｇは、同一インク、同一厚さで印刷されるものとする。
【００１９】
次に作用を説明する。
[表示作用]
(a)第１表示
実施例１において、第１表示１２を表示させるには、第２光源４を点灯させ、第１光源３を消灯する。
第２光源４から発せられる光は、スライダ８の内側枠で、第２光源４の側方に発散する光を前方に反射する。
このスライダ８の内側枠の内部空間を通るようにして、前面部分からカラーフィルタ１０に光が入光する。
【００２０】
すると、光はシート１０ａを通過し、第１印刷部分１０ｂでは、図５に示すように第１光源の光を通過させる（線２１と線２２で示す関係）ため、第１印刷部分１０ｂが明るく表示する。
さらに、調光印刷部１０ｄは、第１光源３及び第２光源４のどちらの光も通過させるため、この場合には、第１光源３の光を通過させる。調光印刷部１０ｄは第１印刷部分１０ｂに近い色みで明るく表示することになる（線２５と線２２で示す関係）。
【００２１】
一方、第２印刷部分１０ｃは、図５において、第２光源４の特性（線２２）に対して線２３で示す特性になるため、第２光源４の光は通過できない。
また、背景印刷部分１０ｅは、第１光源３の光、第２光源４の光のいずれも通過させない。
【００２２】
さらに、白印刷部分１０ｆ、反転印刷部分１０ｇにおいては、表示光に対しては１面の白色の印刷部分となり、その表示光が輝度を抑制されるのみで特に特性の制限なく通過する。
また、スモーク印刷部分１０ｈでは、表示光は輝度を一様に抑制されて通過する。このスモーク作用によりやや暗くぼかされて表示光を通過させる。そのため、第１印刷部分１０ｂと調光印刷部１０ｄの色みの違いもさらに認識できにくくなり、実際に使用する人が見る距離では、見分けがつきにくくなる。このようにして、第１表示１２、つまり、図６(a)に示す「Ａ」が表示されることになる。
【００２３】
(b)第２表示
実施例１において、第２表示１３を表示させるには、第１光源３を点灯させ、第２光源４を消灯する。
すると、第２印刷部分１０ｃと第２光源４との関係は、図５の線２３と線２４の関係となるため、第２印刷部分１０ｃが明るく表示される。
さらに、調光印刷部１０ｆでは、第１光源３及び第２光源４のどちらの光も通過させるため、この場合には、第１光源３の光を通過させる。調光印刷部１０ｄは第２印刷部分１０ｃに近い色みと明るさで表示することになる。
【００２４】
一方、第１印刷部分１０ｂと第１光源３との関係は、図５において、線２１と線２４の関係となるため、第１光源３の光は通過できない。
また、背景印刷部分１０ｅは第１光源３及び第２光源４の光をいずれも通過させない。
さらに、白印刷部分１０ｆ、反転印刷部分１０ｇにおいては、表示光に対しては１面の白色の印刷部分となり、その表示光がわずかに輝度を抑制されるのみで特に特性の制限なく通過する。
【００２５】
次に、スモーク印刷部分１０ｈでは、表示光は輝度を一様に抑制されて通過する。このスモーク作用によりやや暗くぼかされて表示光を通過させる。そのため、第１印刷部分１０ｂと調光印刷部１０ｄの色みの違いもさらに認識できにくくなり、実際に使用する人が見る距離では、見分けがつきにくくなる。
このようにして、第２表示１３、つまり、図６(b)に示す「Ｅ」が表示されることになる。
【００２６】
(c)第３表示
実施例１において、第３表示１４を表示させるには、第１光源３、第２光源４を共に消灯し、第３光源３１を点灯する。
すると、第３光源３１が発する光は、第１光源３、第２光源４のように、各印刷部分を背面から照射することなく、ガイドライト３２により、各印刷部分の表示側の表面のさらに、表示側に誘導され、表側から、各印刷面へ照射される。
【００２７】
これにより、最も表示側に位置する白印刷部分１０ｆが光を反射し、白印刷部分１０ｆで形成した文字「Ｉ」の形状での表示光を発することになる。
この文字「Ｉ」の背景は、白印刷部分１０ｆの表示側と反対の各光源側の１面に設けられたスモーク印刷部分１０ｈとなる。このスモーク印刷部分１０ｈは、表示側からの光を反射せず、ほぼ黒く見せるため、文字「Ｉ」がより明確に表示される。また、スモーク印刷部分１０ｈの光源側で各印刷部分が反射しても、その光はスモーク印刷部分１０ｈを往復するように通過することになり、輝度が抑制され、さらにその後、スモークレンズ１１を通過する際の輝度抑制により、表示に寄与しない部分となる。
これによって、第３表示１４である文字「Ｉ」が表示される。
【００２８】
[スイッチ作用]
実施例１では、操作する人がスモークレンズ１１を押すと、一体化したスライダ８が摺動し、スライダ８の一部がタクトスイッチ５を押す。
スイッチ１としては、基板６に設けられる図示しない回路によって、どの表示状態において、タクトスイッチ５に入力があったかを判断し、３つの操作入力として使用する。これにより、１つのスイッチにおいて、異なるモードでの操作入力が可能となる。
【００２９】
[コストを抑制作用及び表示品質の向上作用]
実施例１の可変表示構造では、白印刷部分１０ｆ、反転印刷部分１０ｇを同じインクとし、スモーク印刷部分１０ｈを１面の印刷部分としているのでコストが抑制される。
さらに、白印刷部分１０ｆ、反転印刷部分１０ｇを同じインクとしているので、第１光源３、第２光源４による透過する表示光の輝度の差がなく同一となり、表示品質が向上する。
【００３０】
スモーク印刷部分１０ｈの下層を反転印刷部分１０ｇとすることにより、白印刷部分１０ｆと反転印刷部分１０ｇの間に印刷層がスモーク印刷部分１０ｈだけとなるため、互いの印刷ズレが少なくなる。
【００３１】
次に効果を説明する。
本実施の形態の可変表示構造にあっては、次に列挙する効果を得ることができる。
(1)透光性のあるシート１０ａに波長の異なる第１光源３の光と第２光源４、及び第３光源３１の光を切り換えて投光させ、第１表示１２と第２表示１３、及び第３表示１４を行わせる可変表示構造であって、第１光源３の波長のみを透過させる第１印刷部分１０ｂと、第２光源４の波長のみを透過させる第２印刷部分１０ｃと、第１光源３の波長と第２光源４の波長を透過させない背景印刷部分１０ｅと、第１表示１２と第２表示１３の重複する部分と重なる部分で、第１光源３及び第２光源４の光を抑制して透過する調光印刷部１０ｄと、各印刷部分より表示側に設けられ、表示側から投光する第３光源３１の光を反射し、第３表示１４を行う白印刷部分１０ｆと、第３光源３１の光や外光を反射しにくく、表示側から暗く見え、白印刷部分１０ｆの背景を構成するスモーク印刷部分１０ｈと、白印刷部分１０ｆ以外を繰り抜いた反転形状を同一インクで印刷し、白印刷部分１０ｆとそれ以外の部分の表示光透過率を同じにする反転印刷部分１０ｇと、を備えるため、コストを抑制しつつ、且つ品質を保持しつつ３種類の表示を行うことができる。
【実施例２】
【００３２】
実施例２の可変表示構造は、カラーフィルタ１０の上方に光源３１を設けた例である。
図７は、実施例１の可変表示構造の装置表示部を示す断面図である。
まず構成を説明する。
実施例２では、可変表示構造は、スイッチではなく、装置の表示部である。
【００３３】
そのため、スライダ８とスイッチフィニッシャ２を合わせ、ガイドライト３２を設けない形状のロアハウジング２０ａを設け、カラーフィルタ１０、第１光源３、第２光源４を設ける。そして、カラーフィルタ１０の側方を囲むように覆うアッパハウジング２０ｂを設け、その上部開口を覆うようにスモークカバー１１ａを設ける。スモークカバー１１ａで仕切るアッパハウジング２０ｂの内部に、第３光源３１を設け、上方、つまり表示側からカラーフィルタ１０へ照射する。
その他構成は、実施例１と同様であるので、説明を省略する。
【００３４】
作用効果について説明する。
可変表示構造は、このように、スイッチでない装置の表示部に用いるものであってもよい。
【実施例３】
【００３５】
実施例３の可変表示構造は、表面印刷の最下層に反転印刷部分を設けた例である。
図８は実施例３の可変表示構造の装置表示部を示す断面図である。
まず構成を説明する。
実施例３の可変表示構造は、図８に示すように、シート１０ａと各印刷層の間、つまりシート１０ａの表面印刷の最下層に反転印刷部分１０ｇを設ける構造である。
その他構成は、実施例１と同様であるので、説明を省略する。
【００３６】
作用について説明する。
[表示輝度を向上させる作用]
実施例３の可変表示構造では、表面印刷の最下層に反転印刷を行うため、例えば、シート１０ａを通過した第１光源３や第２光源４の光が、本来であれば、調光印刷部１０ｄやスモーク印刷部分１０ｈ、スモークレンズ１１などで、吸収される光が反転印刷部分１０ｇで反射する量が増えるため、スライダ８内側で反射して、表示光として用いられることになり、第１光源３や第２光源４の光を用いる際に表示光の輝度が向上することになる。
これにより、より明るく表示を行うことができる。
【００３７】
効果について説明する。
実施例３の可変表示構造は、上記(1)の効果に加えて以下の効果を有する。
(2)シート１０ａに反転印刷部分１０ｇをまず設け、反転印刷部分１０ｇの表示方向に各印刷部分を重ねるように設けるため、さらに表示輝度を向上させ、表示品質を向上させることができる。
【実施例４】
【００３８】
実施例４の可変表示構造は、シートの裏面に反転印刷部分を設ける例である。
図９は実施例４の可変表示構造の装置表示部を示す断面図である。
まず構成を説明する。
実施例４の可変表示構造は、図９に示すように、シート１０ａの裏側、つまり光源側に反転印刷部分１０ｇを設け、他の印刷部分等は、シート１０ａの表側、つまり表示側に設ける。
その他構成は、実施例１と同様であるので、説明を省略する。
【００３９】
作用について説明する。
[表示輝度を向上させる作用]
実施例４の可変表示構造では、シート１０ａの裏面に反転印刷部分１０ｇを設けるため、例えば、調光印刷部１０ｄやスモーク印刷部分１０ｈ、スモークレンズ１１などで、吸収されるべき光が反転印刷部分１０ｇで反射する量が増えるため、スライダ８内側で反射して、表示光として用いられることになり、第１光源３や第２光源４の光を用いる際に表示光の輝度が向上することになる。
これにより、より明るく表示を行うことができる。
【００４０】
効果について説明する。
実施例４の可変表示構造は、上記(1)の効果に加えて以下の効果を有する。
(3)シート１０ａの光源側の面に反転印刷部分１０ｇを設け、シート１０ａの表示側の面に各印刷部分を重ねるように設けるため、さらに表示輝度を向上させ、表示品質を向上させることができる。
実施例３では、反転印刷部分によって反射された光が透明シート１０ａの中を通って横方向に漏れてしまうが、実施例４では、シートに入る前に反転印刷部分で反射するので、シートの中を通って横方向に漏れてしまう光を減らすことができる。これは、たとえば図７の１０と２０ａで囲まれた空間が、１枚のシートの下に複数個存在している場合、他の空間に光が回り込むのを防ぐことができる。
【実施例５】
【００４１】
実施例５は、可変表示構造をオーディオに用いた応用例である。
まず構成を説明する。
図１０は、実施例５の可変表示構造の第１〜第３の表示例を示す説明図である。
実施例５では、第１光源３の点灯時に青色で「ＣＤ」を表示し、第２光源４の点灯時に赤色で「ＴＵＮＥ」を表示し、第３光源３１の点灯時に白色で「ＤＶＤ」を表示する装置表示部４０に可変表示構造を用いている。
その他構成は、実施例と同様であるので説明を省略する。
【００４２】
次に作用効果を説明する。
実施例５では、「ＣＤ」、「ＴＵＮＥ」、「ＤＶＤ」を同じ位置で表示するため、表示スペースの効率化になり、デザイン上有利であり、操作するスイッチに使用した場合には、１つのスイッチで複数の機能に切り替えることを見易く行うことができる。
【実施例６】
【００４３】
実施例６は可変表示構造を車両メータに用いた例である。
まず構成を説明する。
図１１は、実施例６の可変表示構造の第１〜第３の表示例を示す説明図である。
実施例６の車両メータ５０では、第１光源３の点灯時には、青色のメータ目盛表示を行い、第２光源４の点灯時には、赤色のメータ目盛表示を行い、第３光源３１の点灯時には、白色のメータ目盛表示を行う。また、それぞれのメータ目盛表示は異なる形状にする。
【００４４】
作用効果を説明する。
実施例６では、異なる色、形状の３種類の車両メータ５０を表示できるため、例えば、個人の好みにより変更する。また、例えば、状況による見易さから変更するなどすれば、使用者がより見易い表示となる。
【００４５】
（その他の実施の形態）
以上、本発明の実施の形態を実施例１〜実施例６に基づいて説明してきたが、本発明の具体的な構成は実施例に限定されるものではなく、発明の要旨を逸脱しない範囲の設計変更等があっても、本発明に含まれる。
第１表示、第２表示、第３表示は他の色であってもよい。
印刷には、シルク印刷、凸版印刷、インクジェット印刷、熱転写印刷があり、いずれの印刷によるものでもよい。また、他の印刷によるものであってもよい。
【図面の簡単な説明】
【００４６】
【図１】実施例１の可変表示構造のスイッチを示す断面図である。
【図２】実施例１のカラーフィルタの正面図である。
【図３】図２のＡ−Ａ断面図である。
【図４】白印刷部分、反転印刷部分、スモーク印刷部分を除いたカラーフィルタの正面図である。
【図５】第１印刷部分、第２印刷部分の特性と第１光源、第２光源の波長との関係を示す説明図である。
【図６】第１表示、第２表示、第３表示を表示させた状態を示す説明図である。
【図７】実施例２の可変表示構造の装置表示部を示す断面図である。
【図８】実施例３の可変表示構造のカラーフィルタを示す断面図である。
【図９】実施例４の可変表示構造のカラーフィルタを示す断面図である。
【図１０】実施例５の可変表示構造の第１〜第３の表示例を示す説明図である。
【図１１】実施例６の可変表示構造の第１〜第３の表示例を示す説明図である。
【符号の説明】
【００４７】
１  スイッチ
２  スイッチフィニッシャ
３  第１光源
４  第２光源
５  タクトスイッチ
６  基板
７  ガイドハウジング
８  スライダ
８ａ  係合部
１０  カラーフィルタ
１０ａ  シート
１０ｂ  第１印刷部分
１０ｃ  第２印刷部分
１０ｄ  調光印刷部
１０ｅ  背景印刷部分
１０ｆ  白印刷部分
１０ｇ  反転印刷部分
１０ｈ  スモーク印刷部分
１１  スモークレンズ
１１ａ  スモークカバー
１２  第１表示
１３  第２表示
１４  第３表示
２０ａ  アッパハウジング
２０ｂ  ロアハウジング
２１〜２５  線
３１  第３光源
３２  ガイドライト
４０  装置表示部
５０  車両メータ
【図１】
2008015122.tif 000003
【図２】
2008015122.tif 000004
【図３】
2008015122.tif 000005
【図４】
2008015122.tif 000006
【図５】
2008015122.tif 000007
【図６】
2008015122.tif 000008
【図７】
2008015122.tif 000009
【図８】
2008015122.tif 000010
【図９】
2008015122.tif 000011
【図１０】
2008015122.tif 000012
【図１１】
2008015122.tif 000013